(57)【特許請求の範囲】
【請求項１】
複数の整流器（１５）を備えたカスケード式マルチレベル電気変換器の動作方法であって、各整流器（１５）が、互いに直列に接続された二つのスイッチ（Ｓ）をそれぞれ備えた二つの分岐部を有するＨ形ブリッジ回路を備えており、このカスケード式マルチレベル変換器の交流側の全体の交流電圧が整流器（１５）の交流側の交流電圧の合計と等しくなるように、これらの整流器（１５）が、このカスケード式マルチレベル変換器の交流側で互いに直列に接続されている方法において、
変調器（２）が、一定数のレベルシフトキャリア信号（ｃｒ）を用いて、レベルシフトパルス幅変調プロセスによりマルチレベルパルス幅変調信号（Ｌｋ）を反復して発生させる工程であって、この一定数が動作中の整流器（１５）の分岐部の合計数と等しく、このマルチレベルパルス幅変調信号（Ｌｋ）が、動作中の整流器の分岐部の合計数と等しい整数の信号レベルを取ることができる工程と、
変調器（２）が、制御機器（３）にマルチレベルパルス幅変調信号（Ｌｋ）を出力して、この制御機器（３）が、このマルチレベルパルス幅変調信号（Ｌｋ）から、整流器（１５）のスイッチ（５）を制御する制御信号を発生して出力する工程と、
このカスケード式マルチレベル変換器の切換状態が、カスケード式マルチレベル変換器に配備された整流器（１５）のスイッチ（Ｓ）の切換状態により表されて、このカスケード式マルチレベル変換器の切換状態のレベル数が、制御機器（３）に入力されるマルチレベルパルス幅変調信号のレベル数と等しく、この制御機器（３）の制御中に、この制御機器（３）に出力されたマルチレベルパルス幅変調信号（Ｌｋ）の変化が、このカスケード式マルチレベル変換器の切換状態の変更を必要とする毎に、動作中の整流器（１５）の所定の反復シーケンスに基づき整流器（１５）の中の一つを選択して、この選択された整流器（１５）を制御することによって、切換状態の所要の変更を行ない、この整流器（１５）の中の一つの選択は、マルチレベルパルス幅変調信号の変化がカスケード式マルチレベル変換器の切換状態のレベル数をより高いレベルに変更することを必要とする毎に、動作中の整流器（１５）の第一の所定の反復シーケンスに基づき整流器（１５）の中の一つを選択し、マルチレベルパルス幅変調信号の変化がカスケード式マルチレベル変換器の切換状態のレベル数をより低いレベルに変更することを必要とする毎に、動作中の整流器（１５）の第二の所定の反復シーケンスに基づき整流器（１５）の中の一つを選択するように行なわれる工程と、
を有する方法。
【請求項２】
各整流器（１５）が、このカスケード式マルチレベル変換器の動作挙動に異なる影響を与える三つの異なる切換状態を有し、
これらの三つの切換状態の中の第一の状態は、正の直流電圧が整流器（１５）の直流側に印加された場合に正の電圧を交流側に生じさせ、
これらの三つの切換状態の中の第二の状態は、直流電圧が整流器（１５）の直流側に印加された場合にゼロの電圧を交流側に生じさせ、この第二の切換状態は、ゼロの電圧を交流側に生じさせるとの同じ影響を与えるが、当該のスイッチ（Ｓ）の個々の切換状態の異なるセットから構成されるサブ状態を有し、
これらの三つの切換状態の中の第三の状態は、正の直流電圧が整流器（１５）の直流側に印加された場合に負の電圧を交流側に生じさせ、
動作中の全ての整流器（１５）が第一の切換状態に有る場合に最も高いレベルを有し、動作中の全ての整流器（１５）が第三の切換状態に有る場合に最も低いレベルを有する、このカスケード式マルチレベル変換器の切換状態のレベル数を規定することができる、
請求項１に記載の方法。
【請求項３】
動作中の各整流器（１５）の第二の切換状態の最後のサブ状態に関する情報が保存されて、次回、その整流器（１５）を第二の切換状態に切り換える必要が有る場合、その整流器が第二の切換状態の異なるサブ状態に移行される請求項２に記載の方法。
【請求項４】
故障している整流器（１５）に関する情報が制御機器（３）に転送されて、その故障している整流器（１５）が動作中の整流器（１５）の反復シーケンスから除外される請求項１から３までのいずれか一つに記載の方法。
【請求項５】
このカスケード式マルチレベル変換器内で互いに直接接続された隣接する整流器（１５）の所定のシーケンス内における選択順番位置が、少なくとも一つの別の整流器（１５）の選択順番位置によって分離されるように、動作中の整流器（１５）の反復シーケンスが予め規定される請求項１から４までのいずれか一つに記載の方法。
【請求項６】
このカスケード式マルチレベル変換器内で互いに直接接続された隣接する整流器（１５）の全てのペアが、シーケンスの始端が続くと考えられるシーケンスの終端を含む所定のシーケンス内で、それ以外の取り得る最大数の整流器（１５）によって分離される請求項５に記載の方法。
【請求項７】
複数の整流器（１５）を備えたカスケード式マルチレベル電気変換器の動作を制御する制御装置であって、各整流器（１５）が、互いに直列に接続された二つのスイッチをそれぞれ備えた二つの分岐部を有するＨ形ブリッジ回路を備えており、このカスケード式マルチレベル変換器の交流側の全体の交流電圧が整流器（１５）の交流側の交流電圧の合計と等しくなるように、これらの整流器（１５）が、このカスケード式マルチレベル変換器の交流側で互いに直列に接続されている制御装置において、
この装置が、一定数のレベルシフトキャリア信号（ｃｒ）を用いて、レベルシフトパルス幅変調プロセスによりマルチレベルパルス幅変調信号（Ｌｋ）を反復して発生するように構成された変調器（２）を備えており、この一定数が動作中の整流器（１５）の分岐部の合計数と等しく、このマルチレベルパルス幅変調信号（Ｌｋ）が、動作中の整流器（１５）の分岐部の合計数と等しい整数のレベルを取ることができ、
この装置が、このマルチレベルパルス幅変調信号（Ｌｋ）から、整流器（１５）のスイッチ（Ｓ）を制御する制御信号を発生して出力するように構成された制御機器（３）を備えており、
この変調器（２）の出力が、この制御機器にマルチレベルパルス幅変調信号（Ｌｋ）を転送するために、この制御機器（３）の入力と接続されており、
このカスケード式マルチレベル変換器の切換状態が、カスケード式マルチレベル変換器に配備された整流器（１５）のスイッチ（Ｓ）の切換状態により表されて、このカスケード式マルチレベル変換器の切換状態のレベル数が、制御機器（３）に入力されるマルチレベルパルス幅変調信号のレベル数と等しく、この制御機器（３）が、この制御機器（３）に転送されたマルチレベルパルス幅変調信号（Ｌｋ）の変化がカスケード式マルチレベル変換器の切換状態の変更を必要とする毎に、動作中の整流器（１５）の所定の反復シーケンスに基づき整流器（１５）の中の一つを選択して、この選択された整流器（１５）を制御することによって、切換状態の所要の変更を行なうように構成されており、この整流器（１５）の中の一つの選択は、マルチレベルパルス幅変調信号（Ｌｋ）の変化がカスケード式マルチレベル変換器の切換状態のレベル数をより高いレベルに変更することを必要とする毎に、動作中の整流器（１５）の第一の所定の反復シーケンスに基づき整流器（１５）の中の一つを選択し、マルチレベルパルス幅変調信号（Ｌｋ）の変化がカスケード式マルチレベル変換器の切換状態のレベル数をより低いレベルに変更することを必要とする毎に、動作中の整流器（１５）の第二の所定の反復シーケンスに基づき整流器（１５）の中の一つを選択するように行なわれる、
制御装置。
【請求項８】
各整流器（１５）は、カスケード式マルチレベル変換器の動作挙動に異なる影響を与える三つの異なる切換状態を有し、
これらの三つの切換状態の中の第一の状態は、正の直流電圧が整流器（１５）の直流側に印加された場合に正の電圧を交流側に生じさせ、
これらの三つの切換状態の中の第二の状態は、直流電圧が整流器（１５）の直流側に印加された場合にゼロの電圧を交流側に生じさせ、この第二の切換状態は、ゼロの電圧を交流側に生じさせるとの同じ影響を与えるが、当該のスイッチ（Ｓ）の個々の切換状態の異なるセットから構成されるサブ状態を有し、
これらの三つの切換状態の中の第三の状態は、正の直流電圧が整流器（１５）の直流側に印加された場合に負の電圧を交流側に生じさせ、
動作中の全ての整流器（１５）が第一の切換状態に有る場合に最も高いレベルを有し、動作中の全ての整流器（１５）が第三の切換状態に有る場合に最も低いレベルを有する、このカスケード式マルチレベル変換器の切換状態のレベル数を規定することができる、
請求項７に記載の制御装置。
【請求項９】
各整流器（１５）に対して交流電源ユニット（３０）が配備されており、これらの交流電源ユニット（３０）は、それに対応する整流器（１５）のスイッチを制御する制御機器からそれぞれ制御信号を受信するように構成されており、各交流電源ユニット（３０）は、それに対応する整流器（１５）を第二の切換状態に切り換える必要が有る場合に、その整流器（１５）を以前の最後のサブ状態と異なる第二の切換状態のサブ状態に移行するように構成されている請求項８に記載の制御装置。
【請求項１０】
当該の制御機器（３）は、この制御機器（３）が故障している整流器（１５）に関する情報を受信した場合に、その整流器を動作中の整流器（１５）の反復シーケンスから除外するように構成されている請求項７から９までのいずれか一つに記載の制御装置。
【請求項１１】
請求項７から１０までのいずれか一つに記載の制御装置を備えたカスケード式マルチレベル変換器。
【請求項１２】
請求項１１に記載のカスケード式マルチレベル変換器を備えた軌道車両。
【発明の詳細な説明】
【技術分野】
【０００１】
本発明は、カスケード式マルチレベル電気変換器の動作方法に関する。更に、本発明は、カスケード式マルチレベル電気変換器の動作を制御する制御装置、その制御装置を備えたカスケード式マルチレベル変換器及びそのカスケード式マルチレベル変換器を備えた車両に関する。
【背景技術】
【０００２】
カスケード式又は縦続接続マルチレベルインバータとも呼ばれるカスケード式マルチレベル変換器は、周知技術である。カスケード式マルチレベル変換器（略して、ＣＭＣ）は、直流側と交流側を有する。ＣＭＣがインバータとして動作する場合、直流側に入力された直流は、交流側の交流に変換される。「カスケード式」又は「縦続接続」との用語は、複数の個々の変換器、即ち、Ｈ形ブリッジ変換器を備えた変換器がＣＭＣの交流側で互いに直列に接続されていることを意味する。そのため、ＣＭＣの交流側の全体の交流電圧は、個々の変換器の交流側の交流電圧の合計と等しくなる。カスケード式マルチレベルインバータの場合、整流器はインバータとして動作するが、本明細書では、ＣＭＣの個々の変換器を整流器と称する。この「整流器」との用語は、ＣＭＣの動作を整流器としての動作に限定するものではない。しかし、好ましい用途は、鉄道の電気網から軌道車両の走行モータに電気エネルギーを伝達する目的でＣＭＣを整流器として使用することである。特に、その用途では、全ての整流器の直流側の二つの接続部が同じ二つの電位と接続されるように、ＣＭＣの直流側において、ＣＭＣの個々の変換器又は整流器を互いに並列に接続することができる。
【０００３】
前述した通り、各整流器は、Ｈ形ブリッジ回路を有する、即ち、この回路は、二つの分岐部を有し、各分岐部において、二つの制御可能なスイッチが直列に接続されている。フリーホイールダイオードなどのフリーホイールバルブは、各制御可能なスイッチと逆並列に接続されている。整流器の交流側の接続部は、二つの分岐部のスイッチの直列接続部の間に実現されている。「分岐部」に関する別の用語は、「ブリッジ」又は「フェーズレグ」である。
【０００４】
ＣＭＣの整流器がＣＭＣの交流側で互いに直列に接続されているので、それぞれ交流側の接続部の一方において二つの整流器が接続されるように、各整流器は、次の隣接する整流器との電気接続部を有する。ＣＭＣの交流側の二つの外部接続部の一方を構成する二つの整流器が有り、ＣＭＣが三つ以上の整流器を備えている場合、その二つの外側の整流器の間の全ての整流器は、ＣＭＣ内で二つの隣接する整流器を有することとなる。言い換えると、カスケード式整流器は、交流側において、電気相互接続に関するシーケンスを構成している。
【０００５】
前述した通り、ＣＭＣは、軌道車両の走行モータに、或いはそれに代わって、それ以外の車両にエネルギー供給網から電気エネルギーを供給するために使用することができる。軌道車両の標準的な変成器は、低い周波数で動作するので重い。そのような重い変成器を置き換えるために、ＣＭＣの整流器の各直流側がそれぞれ一つのＤＣ／ＤＣ変換器を介して同じ直流中間回路と接続されるように、ＣＭＣを中間周波数の（例えば、１〜１００ｋＨｚの範囲の周波数で動作する）ＤＣ／ＤＣ変換器と組み合わせることができる。それは、ＣＭＣの整流器が直流側で互いに並列に直接的には接続されていないが、ＤＣ／ＤＣ変換器を介して間接的に互いに並列に接続されていることを意味する。以下において、一つの例を挙げる。
【０００６】
整流器が直流側で互いに並列に接続されているので、ＣＭＣの動作中、エネルギーは異なる整流器（又は相応に動作している場合のインバータ）を介して伝達される。更に、整流器の全てがＣＭＣの動作中常に同じ形態では動作せず、そのため、整流器の幾つかだけが同時に大部分のエネルギー（又は電力）を伝達する一方、それ以外の整流器はエネルギー（又は電力）を伝達しない。長期間に渡る整流器の均等でない使用は、均等でない消耗を、そのため、早期のＣＭＣの故障を引き起こす。更に、整流器の均等でない使用は、動作していない整流器の直流電圧がゼロに低下するので、変換器の直流側の電圧に影響を与える。実際、ＣＭＣ内には、例えば、８〜２０、特に、１０〜１６個の整流器が有る。均等に使用しない場合、これらの整流器の中の一つ又は二つが早く故障する可能性が有る。
【０００７】
パルス幅変調信号を発生させ、その信号を用いて、ＣＭＣの切換状態を制御する制御信号を発生させるために、位相シフト式パルス幅変調（ＰＳ−ＰＷＭ）を使用することが知られている。そのＰＷＭ信号の階段状の変化がＣＭＣの一つ以上のスイッチの切換を起動する。ＰＳ−ＰＷＭにおいて、ＰＷＭ信号は、時間領域でシフトするキャリア信号を用いて生成される、即ち、キャリア信号は位相をシフトされている。そのような形式の切換状態の制御を用いると、自動的に長期間に渡って異なる整流器を均一に使用する結果となる。
【０００８】
別の形式のＰＷＭ手法が、レベルシフト式ＰＷＭ（ＬＳ−ＰＷＭ）として周知である。ＰＳ−ＰＷＭと比べたＬＳ−ＰＷＭの一つの利点は、その手法のスペクトル特性である、即ち、ＬＳ−ＰＷＭのスイッチイング高調波は、システム、特に、鉄道網の他の構成要素への影響が小さいか、或いは欠点とならない。そのため、ＬＳ−ＰＷＭで得られる電圧スペクトルの形状は、ＥＭＣ順守に必要なオンボードフィルタの設計手順を簡略化するので、牽引用途にとって非常に重要である。
【０００９】
ＬＳ−ＰＷＭでは、異なるキャリア信号が信号レベルに関してシフトされている。ＬＳ−ＰＷＭプロセスの結果は、ＣＭＣの切換状態を規定するマルチレベルＰＷＭ信号である。しかし、マルチレベルＰＷＭ信号の大抵の取り得るレベルでは、異なるスイッチがオンとオフになるが、ＣＭＣの同じ変換効果を生じさせることとなる、それに対応したＣＭＣの幾つかの異なる切換状態が存在する。言い換えると、マルチレベルＰＷＭ信号は、変換特性（即ち、交流側の交流電圧と直流側の直流電圧の関係）を一義的に規定するが、切換状態を一義的には規定しない。そのため、前述した通り、異なる整流器の均等でない使用が起こる可能性が有る。
【発明の概要】
【発明が解決しようとする課題】
【００１０】
本発明の課題は、ＣＭＣの異なる整流器を均等に使用するように構成されたカスケード式マルチレベル電気変換器の動作方法、それに対応する制御装置、それに対応する制御装置を備えたカスケード式マルチレベル変換器及びそのカスケード式マルチレベル変換器を備えた車両（特に、軌道車両）を提示することである。この場合、ＣＭＣの切換状態を制御するレベルシフト式パルス幅変調手法の利点を実現する。好ましくは、本解決策は、整流器の中の一つ以上が故障により動作できない状況にも対処する。更に、本制御がデジタルデータ処理により実現される、及び／又はＣＭＣの隣接する整流器の交流側に同様の交流電圧波形を提供することが好ましい。
【課題を解決するための手段】
【００１１】
前述した通り、マルチレベルパルス幅変調信号を発生するレベルシフト式パルス幅変調手法を使用することを提案する。時間に関するＣＭＣの整流器の均等な使用を実現するために、動作中の整流器の少なくとも一つの論理シーケンスを予め規定して、その論理シーケンスにおける次の整流器である整流器を制御することによって、マルチレベルＰＷＭ信号に関して必要なＣＭＣの切換状態の変更を行なう。言い換えると、その時々のマルチレベルＰＷＭ信号に対応する切換状態を作り出すために切換動作が必要となる毎に、論理シーケンスに基づき整流器を順番に選択する。この「論理シーケンス」との用語は、ＣＭＣの電気接続に基づく整流器の電気シーケンスから当該のシーケンスを区別するために使用される。以下で説明する通り、これらのシーケンスが異なることが好ましい。
【００１２】
この論理シーケンスは、少なくとも長期間に渡って、ＣＭＣの異なる整流器を均等に使用することを保証する。
【００１３】
勿論、更新されたマルチレベルパルス幅変調信号が一つの特定のスイッチ又は一つの特定の整流器だけを用いて実施できる切換動作を必要とすることが起こり得る。例えば、全ての個々の整流器が同じ個々の切換状態を有するＣＭＣの切換状態を一つの手法だけで実現することができる。
【００１４】
特に、複数の整流器を備えたカスケード式マルチレベル電気変換器の動作方法であって、各整流器が、互いに直列に接続された二つのスイッチをそれぞれ備えた二つ分岐部を有するＨ形ブリッジ回路を備えており、このカスケード式マルチレベル変換器の交流側の全体の交流電圧が整流器の交流側の交流電圧の合計と等しくなるように、これらの整流器が、このカスケード式マルチレベル変換器の交流側で互いに直列に接続されている方法において、
一定数のレベルシフトキャリア信号を用いて、レベルシフトパルス幅変調プロセスによりマルチレベルパルス幅変調信号を反復して発生させる工程であって、この一定数が動作中の整流器の分岐部の数と等しく、このマルチレベルパルス幅変調信号が、動作中の整流器の分岐部の数と等しい整数の信号レベルを取ることができる工程と、
相応の制御信号を発生して出力することにより整流器のスイッチを制御する制御機器にマルチレベルパルス幅変調信号を出力する工程と、
この制御機器の動作中に、この制御機器に出力されたマルチレベルパルス幅変調信号の変化が、このカスケード式マルチレベル変換器の切換状態の変更を必要とする毎に、動作中の整流器の所定の反復シーケンスに基づき整流器の中の一つを選択して、この選択された整流器を制御することによって、切換状態の所要の変更を行なう工程と、
を有する方法を提案する。
【００１５】
更に、複数の整流器を備えたカスケード式マルチレベル電気変換器の動作を制御する制御装置であって、各整流器が、互いに直列に接続された二つのスイッチをそれぞれ備えた二つ分岐部を有するＨ形ブリッジ回路を備えており、このカスケード式マルチレベル変換器の交流側の全体の交流電圧が整流器の交流側の交流電圧の合計と等しくなるように、これらの整流器が、このカスケード式マルチレベル変換器の交流側で互いに直列に接続されている制御装置において、
この装置が、一定数のレベルシフトキャリア信号を用いて、レベルシフトパルス幅変調プロセスによりマルチレベルパルス幅変調信号を反復して発生するように構成された変調器を備えており、この一定数が動作中の整流器の分岐部の数と等しく、このマルチレベルパルス幅変調信号が、動作中の整流器の分岐部の数と等しい整数のレベルを取ることができ、
この装置が、相応の制御信号を発生して出力することにより整流器のスイッチを制御するように構成された制御機器を備えており、
この変調器の出力が、この制御機器にマルチレベルパルス幅変調信号を転送するために、この制御機器の入力と接続されており、
この制御機器が、この制御機器に転送されたマルチレベルパルス幅変調信号の変化がカスケード式マルチレベル変換器の切換状態の変更を必要とする毎に、動作中の整流器の所定の反復シーケンスに基づき整流器の中の一つを選択して、この選択された整流器を制御することによって、切換状態の所要の変更を行なうように構成されている制御装置を提案する。
【００１６】
また、本発明には、本明細書に記載された実施形態の中の一つに基づく制御装置を備えたカスケード式マルチレベル変換器が含まれるとともに、そのカスケード式マルチレベル変換器を備えた軌道車両が含まれる。
【００１７】
この「反復シーケンス」との用語は、このシーケンスの最後の要素の後に、即ち、最後の整流器の後に、再びこのシーケンスが始まることを意味する。
【００１８】
特に、このマルチレベルパルス幅変調信号は、この信号を計算することによって生成される。特別な実施形態では、この信号は、デジタルデータ処理により計算される。例えば、それに対応するデジタル信号プロセッサ（ＤＳＰ）を使用する。
【００１９】
典型的には、レベルシフトキャリア信号の数は、動作中の整流器の分岐部の数と等しい。これらの整流器は、二つの分岐部を有するＨ形ブリッジを備えており、レベルシフトキャリア信号の数は、整流器の数に２を掛けた数と等しい。マルチレベルパルス幅変調信号を計算する一つの手法は、時間に依存する基準信号の値を各レベルシフトキャリア信号の電流値と反復して（特に、サイクリックに）比較して、その基準信号の値が当該キャリア信号の値よりも大きい比較毎に１を加算することである。そのようなパルス幅変調信号の計算結果は、正又はゼロと等しい、マルチレベルＰＷＭ信号の当該レベルに対応する整数である。
【００２０】
それに応じて、マルチレベルパルス幅変調信号は、分岐部の数の２倍＋１となる。
【００２１】
多くの場合、これらのキャリア信号は、三角形のキャリア信号である。例えば、これらのレベルシフトキャリア信号の位相は、ずらすことも、同相にすることもできる。そのため、レベルシフトＰＷＭキャリア信号の配列は、所謂位相配列、所謂逆位相配列又は所謂交番逆位相配列である。それ以外の配列も可能である。
【００２２】
このマルチレベルパルス幅変調信号は、相応の制御信号を生成して出力することにより整流器のスイッチを制御する制御機器に出力される。そのため、この制御機器の役割は、マルチレベルパルス幅変調信号に固有の情報を用いて制御信号を生成することである。好ましくは、このマルチレベルＰＷＭ信号は、反復して（特に、サイクリックに）生成されて、反復生成直後毎に、或いは連続的に制御機器に出力されるか、或いはマルチレベルＰＷＭ信号のレベルが変化した場合に制御機器に出力される。第一の場合（マルチレベルＰＷＭ信号の反復又は連続出力時）、この制御機器は、好ましくは、信号のレベルが変化したかを調べる。如何なる場合でも、この信号のレベルが変化した場合だけ、この制御機器が、ＣＭＣのスイッチの幾つかの切換動作を引き起こすことが好ましい。レベルが変化したかを調べる一つの手法は、マルチレベルＰＷＭ信号の取り得るレベルの中の一つに対応するその時々の切換状態の測度をその時々のマルチレベルＰＷＭ信号と比較することである。更に、この制御機器が、この信号の上方又は下方への単一レベルの如何なる変化にも反応できるように、このマルチレベルＰＷＭ信号を十分な頻度で更新して、このマルチレベルＰＷＭ信号を十分な頻度で制御機器に出力するのが好ましい。言い換えると、この制御機器が、２以上のレベル差に対応するＣＭＣの切換状態の変更を制御することは起こり得ない。
【００２３】
この制御機器がＣＭＣの切換状態を規定する好ましい手法は、動作中の各整流器の切換状態を規定することである。Ｈ形ブリッジに関して、個々の整流器の切換状態を規定するのに１つの数で十分である。以下に一例を挙げる。そのため、ＣＭＣの切換状態を規定する情報を一定数の構成要素を有する数学ベクトルとして考えることができ、各構成要素は、それに対応する整流器の個々の切換状態に対応する。例えば、この数学ベクトルの一つの構成要素が変化する毎に、この制御機器によって、ＣＭＣの切換状態を変更する切換動作を起動することができる。
【００２４】
好ましくは、この制御機器は、マルチレベルパルス幅変調信号、即ち、この信号自身の発生から一つの入力情報だけを使用する。制御信号の生成のために、制御機器が必要とする、それ以外の全ての情報は、ＣＭＣに関して従来から周知の情報であり、任意選択により、整流器の中の一つ以上の故障に関する情報である。それは、後で説明する。特に、故障情報は、どの整流器が動作中であるか、或いは動作していないかを表す。特に、動作していない整流器は、電気バイパス接続により迂回することができる。
【００２５】
特に、各整流器の切換状態は、次の通り規定することができ、各整流器は、カスケード式マルチレベル変換器の動作挙動に異なる影響を与える三つの異なる切換状態を有し、
これらの三つの切換状態の中の第一の状態は、正の直流電圧が整流器の直流側に印加された場合に正の電圧を交流側に生じさせ、
これらの三つの切換状態の中の第二の状態は、直流電圧が整流器の直流側に印加された場合にゼロの電圧を交流側に生じさせ、この第二の切換状態は、同じ影響を外部に与えるが、スイッチの個々の切換状態の異なるセットから構成されるサブ状態を有し、
これらの三つの切換状態の中の第三の状態は、正の直流電圧が整流器の直流側に印加された場合に負の電圧を交流側に生じさせる。
【００２６】
そのため、動作中の全ての整流器が第一の切換状態に有る場合に最も高いレベルを有し、動作中の全ての整流器が第三の切換状態に有る場合に最も低いレベルを有するカスケード式マルチレベル変換器の動作状態を規定することができる。
【００２７】
好ましい実施形態では、この制御機器の動作中に、マルチレベルパルス幅変調信号の変化がカスケード式マルチレベル変換器の動作状態をより高いレベルに変更することを必要とする毎に、動作中の整流器の第一の所定の反復（論理）シーケンスに基づき整流器の中の一つが選択され、マルチレベルパルス幅変調信号の変化がカスケード式マルチレベル変換器の動作状態をより低いレベルに変更することを必要とする毎に、動作中の整流器の第二の所定の反復（論理）シーケンスに基づき整流器の中の一つが選択される。それに対応する制御装置の実施形態は、第一と第二のシーケンスに基づき、この選択を行なうように構成される。
【００２８】
このレベルを増減するために別個の論理シーケンスを使用する利点は、個々の整流器が一層均等に使用されることである。さもなければ、特定の切換状態において、より頻繁に特定の整流器が使用されることが起こり得る。更に、第一のシーケンスと第二のシーケンスが動作中の整流器の同じ順序から成るが、第一のシーケンスと第二のシーケンスがＣＭＣの動作開始時に異なる整流器から始まることが好ましい。それは、整流器が二つのシーケンスの中の一方に基づき新しい切換状態に移行されて、他方のシーケンスに基づき次の切換動作で前の切換状態に戻される尤度を低減する。
【００２９】
この制御機器の一つの動作手法は、マルチレベルＰＷＭ信号の変化を求めて、その変化の方向（レベルの上昇又はレベルの低下）を求め、二つのシーケンスの中の何れを使用するのかを決定して、その決定結果に応じて切り換える整流器を選択することである。
【００３０】
同じ個々の整流器のスイッチを均等に使用するために、次のことを提案し、動作中の各整流器の第二の切換状態（上記を参照）の最後のサブ状態に関する情報を保存して、次回、その整流器を第二の切換状態に切り換える必要が有る場合、その整流器を第二の切換状態の異なるサブ状態に移行させる。それに対応する制御装置の実施形態は、各整流器に対して配備された交流電源ユニットを有し、これらの交流電源ユニットは、それに対応する整流器のスイッチを制御する制御機器からそれぞれ制御信号を受信するように構成されており、各交流電源ユニットは、それに対応する整流器を第二の切換状態に切り換える必要が有る場合に、その整流器を以前の最後のサブ状態と異なる、第二の切換状態のサブ状態に移行させるように構成される。
【００３１】
前述した通り、この制御機器は、どの整流器が故障のために動作していないかとの情報を考慮することができる。故障している整流器に関する情報を制御機器に転送して、故障している整流器を動作中の整流器の反復シーケンスから除外することを提案する。それに対応して、この制御機器は、この制御機器が故障している整流器に関する情報を受信した場合に、動作中の整流器の反復シーケンスからその整流器を除外するように構成される。そのため、故障した整流器は、望ましくない結果を生じさせない。故障した整流器が最早論理シーケンスの一部でないので、この制御機器は、その整流器のスイッチを切り換えるために制御信号を発生しない。
【００３２】
前述した故障の扱いは、別の制御方式（特に、整流器の反復論理シーケンスを用いない方式や位相シフトＰＷＭを用いた方式）により実施することもできる。同じことが、前述した通り、第二の切換状態の異なるサブ状態の扱いにも言える。
【００３３】
好ましくは、整流器の中の少なくとも一つが動作しなくなった場合、所定の一つのシーケンス又は所定の複数のシーケンス全体が再度規定される。
【００３４】
ＣＭＣ内で互いに直接接続された隣接する整流器ペアの間の交流電圧波形を最適化するために、本方法の次の実施形態とそれに対応する制御装置の実施形態を提案する。これらの交流電圧は、短い時間内で幾つかの階段状変化を起こさない。カスケード式マルチレベル変換器内で互いに直接接続された隣接する整流器が、所定のシーケンス内で少なくとも一つの別の整流器によって分離されるように、動作中の整流器の反復シーケンスを予め規定することを提案する。前述した通り、この所定のシーケンスは、反復シーケンスである。そのため、それは、好ましくは、シーケンスの始端が続くと考えられるシーケンスの終端を有する。
【００３５】
カスケード式マルチレベル変換器内で互いに直接接続された隣接する整流器ペアの全てが、シーケンスの始端が続くと考えられるシーケンスの終端を含む所定のシーケンス内でそれ以外の取り得る最大数の整流器によって分離されることが、最も好ましい。例えば、１０個の整流器の場合、隣接する整流器を分離するそれ以外の整流器の取り得る最大数は３である。しかし、９個の整流器の場合、隣接する整流器ペアの全てをシーケンス内でそれ以外の３つの整流器によって分離できないので、取り得る最大数は２又は３である。以下において、１０個の整流器の例を述べる。
【００３６】
以下において、添付図面を参照して本発明の例を説明する。
【図面の簡単な説明】
【００３７】
【図１】車両、特に、軌道車両の走行モータにエネルギー供給網から電気エネルギーを供給する装置の簡略化した回路図
【図２】図１の装置の一部、即ち、カスケード式マルチレベル変換器とその変換器の交流側を図示した同様の回路図
【図３】単一のＨ形ブリッジ整流器の取り得る切換状態を説明する表
【図４】四つの個別Ｈ形ブリッジ整流器を備えたＣＭＣの取り得る切換状態を説明する表
【図５】ＣＭＣの動作を制御する制御装置の回路図
【図６】ＣＭＣの整流器の異なる論理シーケンスとそれらに対応するセル状態ベクトル図
【図７ａ】ＣＭＣの整流器の論理シーケンスを予め規定するプロセスの説明図
【図７ｂ】ＣＭＣの整流器の論理シーケンスを予め規定するプロセスの説明図
【図７ｃ】ＣＭＣの整流器の論理シーケンスを予め規定するプロセスの説明図
【図７ｄ】ＣＭＣの整流器の論理シーケンスを予め規定するプロセスの説明図
【図７ｅ】ＣＭＣの整流器の論理シーケンスを予め規定するプロセスの説明図
【図７ｆ】ＣＭＣの整流器の論理シーケンスを予め規定するプロセスの説明図
【図８】図７ａ〜７ｆに図示されたプロセスの結果表
【図９】図７と図８に図示されたプロセスの結果である論理シーケンスの図
【図１０】ＣＭＣの異なる切換状態の間の取り得る遷移を説明するフローチャート
【発明を実施するための形態】
【００３８】
図１に図示された装置は、複数のモジュールＭ１．．．Ｍ４を有し、その各々が、直流側をインバータ１６１，１６２，１６３，１６４と接続された一つの整流器１５１，１５２，１５３，１５４を有する。これらの整流器１５１，１５２，１５３，１５４とインバータ１６１，１６２，１６３，１６４の間の直流ラインには、コンデンサＣｐが接続されている。これらのインバータは、変成器１７１，１７２．１７３，１７４を介して、第二の整流器１８１，１８２，１８３，１８４と接続されている。これらのインバータ１６１，１６２，１６３，１６４、変成器１７１，１７２．１７３，１７４及び第二の整流器１８１，１８２，１８３，１８４は、数ｋＨｚ〜１００ｋＨｚの中間周波数帯域内の共振周波数で動作する直列共振形変換器を構成している。図１には、当該のモジュールＭの変成器との接続部に、コンデンサＣｒｐとＣｒｓが図示されている。
【００３９】
第二の整流器１８１，１８２，１８３，１８４の直流側は、直流中間回路の直流ライン１１７，１１８と互いに並列に接続されている。第二の整流器の直流出力には、直流ライン１１７，１１８の間にコンデンサＣｓが有る。これらのライン１１７，１１８の間の電圧は、ＵＺＫと称する。
【００４０】
キャパシタンスとインダクタンスを有するフィルタ１１５は、これらのライン１１７，１１８の間に接続されている。三相走行インバータ１３１が、少なくとも一つの走行モータ１２１に電気エネルギーを供給するライン１１７，１１８と接続されている。
【００４１】
これらの整流器１５１，１５２，１５３，１５４は、モジュールＭ１〜Ｍ４の交流側で互いに直列に接続されている。モジュールＭ１の整流器１５１の接続部１９１は、フィルタ２００を介して集電器１１１と接続されている。（図示されていない）車両の動作中に、この集電器１１１は、本装置をエネルギー供給網のライン１１０と接続するために使用される。
【００４２】
図１に図示された例では、車両は、推進中軌道上を回転する少なくとも一つの車輪を備えた軌道車両である。四つのモジュールＭの数は、一つの例であり、この数は、異なる実施形態において変えることができる。一つのモジュールＭ４の交流接続部２０４は、直流中間回路ＺＫの第二の直流ライン１１８と接続されるとともに、軌道との接触のために、この少なくとも一つの車輪１１９と接続されている。これらの整流器１５１，１５２，１５３，１５４は、整流器１５１の第二の接続部２０１から整流器１５２の第一の接続部１９２に接続されるように、電気接続部を介して隣の整流器と接続されている。これらの接続部と整流器の構成のより詳しい細部が図２に図示されている。
【００４３】
図２の破線は、例えば、図１の整流器１５１を囲んでいる。この整流器１５１は、ＩＧＢＴ（絶縁ゲート型バイポーラ・トランジスタ）などの二つの制御可能なスイッチＳの直列接続を備えた二つの分岐部を有する。この第一の分岐部は、スイッチＳｂ１と
【００４４】
【数１】
0005938108.tif 000002
【００４５】
を有する。この第二の分岐部は、スイッチＳａ１と
【００４６】
【数２】
0005938108.tif 000003
【００４７】
を有する。これらのスイッチＳの各々と逆並列に接続されたフリーホイールダイオードが有る。
【００４８】
図２に図示された（整流器の中の三つが図示されている）各整流器の直流側は、バッテリ記号で表示されており、その直流電圧ｖｄｃは、そのような直流電圧が整流器としての動作中に生成されるか、或いはインバータとしての動作中に出現することを表している。例えば、図１に図示されているのと同様に、図２の整流器は、直流側で互いに並列に接続することができる。
【００４９】
図２では、交流側での電圧状況も図示されている。車輪１１９との接続部（又は一般的に言うと、アースとの接続部）の電位は、図２の底部に符号Ｇにより表示されている。フィルタ２００を介した集電器１１１との接続部の電位は、符号ａにより表示されている。そのため、整流器の直列接続を介した交流電圧全体は、符号ｖａＧで表示されている。二つの隣接する整流器を有する中間の整流器１５２とアース電位の間の交流電圧が符号ｖｉＧで表示されている。更に、個々の整流器１５１，１５２，１５Ｎの交流接続部の電圧は、符号ｖ１，ｖｉ，ｖＮで表示されている。
【００５０】
更に、隣接する整流器１５１，１５２，１５Ｎの相互接続が図示されている。例えば、整流器１５１の第二の交流接続部２０１は、隣の整流器１５２の第一の交流接続部１９２と直接接続されている。この整流器１５２の第二の交流接続部２０２は、（図２に図示されていない）次の隣接する整流器と直接接続されている。寄生キャパシタンスＣｐａｒも整流器１５１，１５２，１５Ｎの直流側に図示されている。
【００５１】
図２に図示された整流器は、カスケード式マルチレベル変換器を構成している。図２でスイッチに対して使用されている記号は、以下の記述とそれ以外の図面でも同じ形又は同様の形で使用されている。
【００５２】
例えば、図１に図示されている中間周波数変換器の構成の制御における主要な課題の一つは、好適な手法でＣＭＣの整流器を変調することである。それに対応する制御装置の例を図５を参照して説明する。しかし、先ずは、個々の整流器及びＣＭＣの例の幾つかの切換状態を図３と図４を参照して説明する。図３には、図２の整流器１５１，１５２，１５Ｎの中の一つなどの単一の整流器の四つの取り得る切換状態が図示されている。０、１、２、”ｉ”と成り得る切換状態の数は、ＣＭＣの整流器の数を表す指数である。第一欄の第２行と第４行の符号ｖｄｃと−ｖｄｃは、整流器の直流側の正の電圧とその電圧の負の値を意味する。第３行では、第一欄の「０」は、電圧が０にも成り得ることを表している。そのため、図３は、直流側の正の電圧ｖｄｃが、第一のスイッチＳｂｉが（「１」で表示された）オンであり、第二のスイッチＳａｉが（「０」で表示された）オフである切換状態「２」で交流側に生じることを図示している。同じ分岐部の別のスイッチは、その逆の切換状態に有る、即ち、スイッチ
【００５３】
【数３】
0005938108.tif 000004
【００５４】
がオフであり、スイッチ
【００５５】
【数４】
0005938108.tif 000005
【００５６】
がオンである。ゼロ電圧は、二つの異なるサブ状態によって実現することができる（図３の表の第３行）。両方のスイッチＳｂｉとＳａｉがオフとなるか、或いは両方のスイッチがオンとなる。その切換状態は、「１」の数字で表示されている。第一のスイッチＳｂｉがオフで、第二のスイッチＳａｉがオンの場合、交流側に負の直流側電圧−ｖｄｃを実現することができる。
【００５７】
図４には、二つの整流器を有するＣＭＣの切換状態が図示されている。第一欄は、ＣＭＣの交流側の電圧ｖａＧの五つの異なる値を有する。第二欄は、切換状態のレベル数Ｌｋを有し、そのレベル数は、それに対応する切換状態を生じさせる制御信号を発生する制御機器に入力される、それに対応するマルチレベルＰＷＭ信号のレベル数と等しい。２倍の直流側電圧２ｖｄｃを発生させる最上位レベル（Ｌｋ＝４）は、第一の整流器の第一の分岐部Ｓｂ１の第一のスイッチがオンに切り換えられ、第一の整流器の第二の分岐部Ｓａ１の第一のスイッチがオフに切り換えられ、第二の整流器の第一の分岐部Ｓｂ２の第一のスイッチがオンに切り換えられ、第二の整流器の第二の分岐部Ｓａ２の第一のスイッチがオフに切り換えられている場合に実現される。それ以外のレベルの取り得る切換状態は、図４から得られる。レベル１と３には、四つのサブ状態が有り、レベル２には、六つのサブ状態が有る。
【００５８】
図５に図示された制御装置１は、マルチレベルパルス幅変調信号を発生する信号発生器２を有し、そのレベル数Ｌｋが図５の（破線で表示された）境界線に図示されている。この境界線の右手側には、レベル数Ｌｋに対応するＣＭＣの切換状態を得るための制御信号を生成して出力する、この装置１の制御機器３が図示されている。特に、この制御機器３は、追加の制御ユニット（例えば、ＩＧＢＴの所謂ゲート駆動ユニット）により実行される切換動作を起動する所謂発射信号を出力し、それは、本発明によるそれ以外の考え得る制御機器に適用される。この制御機器３は、ＦＰＧＡ（フィールドプログラマブルゲートアレイ）によって実現することができる。
【００５９】
この信号発生器２は、正弦波形として図示されている基準信号ｒ＊を受信するための入力１２を有する。この基準信号は、変換器の構成、例えば、図１に図示された変換器の構成の電圧と電流などの測定値に依存する。この基準信号の生成は、従来技術により周知である。この基準信号ｒ＊は、ＣＭＣの動作中の整流器の数に対応する制限値に基準信号の値を制限する制限ユニット１３に入力される。例えば、ＣＭＣが１０個の整流器を有し、（例えば、１０番目の整流器が故障しているために）それらの中の９個の整流器だけが動作している場合、この基準信号ｒ＊は、１０個の整流器の動作と比較した上限値と下限値の間の狭い範囲に制限される。この上限値と下限値の間の範囲の大きさは、基準信号と比較されるキャリア信号ｃｒの全ての振幅の合計に対応する。例えば、Ｎ個の数の整流器を有するＣＭＣに関して、その（２Ｎを意味する）２倍の数のレベルシフトキャリア信号が使用される。各キャリア信号ｃｒは、必要に応じて、制限ユニット１３により制限された後の基準信号ｒ＊の上限値と下限値により規定される範囲のサブ範囲内で変化する。異なるキャリア信号ｃｒのサブ範囲の間には隙間が無く、そのため、制限された基準信号の各値は、キャリア信号ｃｒのサブ範囲の中の一つのサブ範囲内に有る。
【００６０】
従って、より一般的に述べると、ＰＷＭ信号発生器の制限ユニットは、必要に応じて、ＣＭＣを動作させる特定の段階の間に必要とされるキャリア信号のサブ範囲の合計と等しい、上限値と下限値の間の値の範囲に基準信号を制限する。
【００６１】
図５の上部に図示されている通り、ＣＭＣの整流器の上限性能に関する情報は、状態ベクトルを用いて制御装置１に入力でき、この状態ベクトルは、整流器毎に一つの構成要素を有する。例えば、各構成要素Ｓ１，Ｓ２，Ｓ３，．．．ＳＮ（整流器がＮ個の場合）は、値「０」か値「１」を取り得ることを意味する二進の構成要素である。この値が「０」の場合、それに対応する整流器が故障しているか、或いは動作していないことを表す。この場合、図１と図２の整流器１５１の接続部１９１，２０１などの整流器の二つの交流接続部を接続するスイッチが閉じられる。少なくとも動作していない整流器の数に関する情報が制限ユニット１３に転送される。一般的に述べると、ＣＭＣがＮ個の数の整流器を有し、そのため、Ｎ個の整流器の全てが動作している場合の基準信号の最大範囲は、正規化された単位において、−１と＋１の間で変化し、ｍ個（ｍ＜Ｎ）の整流器だけが動作している場合、制限ユニットは、上限値と下限値の間の基準信号の範囲を（−１＋ｍ／Ｎ．．．１−ｍ／Ｎ）のサイズに制限する。図５には、符号１４１、１４２．．．１４２Ｎで表示された、三角キャリア信号を有する各ボックスにより表された所でキャリア信号ｃｒ１．．．ｃｒ２Ｎが生成されるか、或いは出力される。小さい円で表示された比較ユニットで、これらのキャリア信号ｃｒの各々は、制限された基準信号と比較される。例えば、この比較とは、基準信号から当該のキャリア信号を減算することを意味する。その結果は、二進数発生器１０に入力されて、その発生器は、それに対応する二進信号Ｂ１．．．Ｂ２Ｎを出力する。例えば、それに対応する二進数Ｂは、キャリア信号が基準信号よりも小さい（即ち、キャリア信号の電流値が基準信号の電流値よりも小さい）場合に１と等しく、キャリア信号が基準信号よりも大きい場合に０と等しい。
【００６２】
この信号発生器２と、好ましくは、この制御機器３の動作は、サイクリックである、即ち、例えば、所定のクロック速度でクロックにより起動される形で、この動作がサイクリックに反復される。そのため、この二進値Ｂは、クロック速度と等しいサンプリング速度で生成される。この二進値Ｂは、加算ユニット１６により一緒に加算され、その結果得られた合計が、前述したレベル数Ｌｋとなる。このＰＷＭ信号発生器２のサイクリックな動作のために、このレベル数Ｌｋの更新されたレベル数値の反復出力がマルチレベルＰＷＭ信号の出力と等しくなる。言い換えると、その時々のレベル数Ｌｋは、マルチレベル信号のその時々のレベルを規定する。
【００６３】
前述した通り、並びに図４に図示された例と関連して説明した通り、ＣＭＣのＮ個の数の整流器が動作している場合、マルチレベルＰＷＭ信号のＮの２倍プラス１（２Ｎ＋１）個の異なるレベルが存在する。更に説明するとともに、図４を参照して前述した通り、大部分のレベル（最高レベルと最低レベルを除く全てのレベル）は、ＣＭＣの異なる切換状態により実現できる異なるサブ状態に対応する。そのため、この制御機器３（又は本発明によるそれ以外の制御機器）は、レベル数Ｌｋのその時々の値に対応する切換状態の中の一つを選択する自由を有する。図５に図示された例では、この制御機器３に入力された、その時々のレベル数Ｌｋが、その前のレベル数Ｌｋ−１と減算により比較される。この減算結果は、符号決定ユニットとも呼ばれる分類ユニットに転送され、そのユニットは、ＬｋとＬｋ−１の差が０よりも大きいか、或いは０よりも小さいか（或いは、０と等しいか）を決定する。０の場合、レベル数が変化していないので、動作は不要である。この差が０よりも大きい場合、第一のシーケンサ２５に応じて動作する第一の信号発生器２３に信号が出力される。この差が０よりも小さい場合、符号決定ユニット２２から、第二のシーケンサ２６に応じて動作する第二の信号発生器２４に信号が出力される。これらのシーケンサ２５，２６は、予め決められた反復シーケンスに基づき、どの整流器を次に動作すべきかを決定して、それに対応する決定された整流器の切換を起動するために、当該の信号発生ユニット２３又は２４を制御又は調節する。例えば、第一の信号発生ユニット２３は、Ｎ個の数の整流器のその時々の切換状態数Ｃ１．．．ＣＮを保存する記憶部２７内の決定された整流器の切換状態数Ｃ（図３を参照）を修正する。第一の信号発生ユニット２３が常に切換状態数を（０から１に、或いは１から２に）増加させる一方、第二の信号発生ユニット２４は、切換状態数Ｃを（２から１に、或いは１から０に）低下させる。
【００６４】
符号Ｌｋ−１により表示された、ユニット２１によりその時々のレベル数Ｌｋから減算されたＣＭＣの前の切換状態の値を発生するために、全ての整流器の切換状態数を加算するように構成された加算器２９が記憶部２７と接続されている。
【００６５】
整流器の中の少なくとも一つが動作していない場合、（前述した）状態ベクトルに含まれる情報が記憶部２７に転送されて、それに対応する整流器の切換状態数が０に設定される。更に、この情報は、それに対応する整流器を整流器のシーケンスから除外する第一と第二のシーケンサ２５，２６にも転送される。この結果、除外された整流器が最早信号発生ユニット２３と２４により使用できなくなる。好ましくは、これらのシーケンサ２５と２６は、整流器の中の一つが除外される毎に、整流器の新しいシーケンスを決定する。
【００６６】
整流器のシーケンスを決定する例を説明する前に、この制御機器３の出力側の交流電源ユニット３０１．．．３０ｎを説明する。Ｎ個の数の交流電源ユニット３０の各々は、それに対応する（即ち、それに対して配備された）整流器を新しい切換状態に切り換える場合に起動信号を受信する。その整流器の切換状態が、交流側のゼロ電圧に対応する（図３で状態数１を有する）所謂第二の切換状態に切り換えられる場合、この交流電源ユニットは、二つのサブ切換状態の中の何れを実現すべきかを決定する。即ち、二つのサブ状態の中の一方を実現する場合、この交流電源ユニットは、二つのゼロ電圧切換状態を交替させる。一方のゼロ電圧サブ状態が実現された場合、次回には、他方のゼロ電圧サブ状態が実現される。この交流電源ユニットは、整流器の当該の発射信号を発生又は起動する。
【００６７】
加算器２９が記憶部２７に保存された状態数を加算することと、それに対応する整流器がサービスから除外された場合に、０の値が当該の記憶場所に保存されることとを前述した。しかし、この場合、除外された整流器のそれに対応する交流電源ユニット３０による動作は不要である。それに代わって、値「１」が除外された整流器の当該の記憶場所に書き込まれるが、この場合、除外された整流器の記憶場所の値「１」を破棄するために、加算器２９は、除外された整流器に関する情報を受信しなければならない。それに代わって、加算器２９の加算結果は、（図５には図示されていない）別個のユニットにより訂正することができる。
【００６８】
整流器の均等な使用に関する動機は、前述した通り、整流器のスイッチとそれ以外の構成部品の均等な消耗である。しかし、整流器の均等な使用の別の利点は、異なる整流器を冷却できるとの要求でもある。そのため、均等な使用とは、全ての整流器を同様に構成及び製造するとともに、同様に冷却できることを意味する。このモジュール構成によって、整流器の製造とＣＭＣの組立が容易となる。
【００６９】
本発明は、レベルシフトＰＷＭの形式に依存しない、特に、キャリア信号配列（例えば、位相配列）に依存しない。全ての配列は、制御機器が使用できるマルチレベルＰＷＭ信号を発生させることとなる。
【００７０】
図６は、四つの整流器を備えたＣＭＣの場合の整流器の五つの異なる論理シーケンスを図示している。各整流器は、整流器の指数を付与された状態変数Ｃにより表示されている。全ての整流器が動作している場合、図６の上部に図示されている通り、シーケンスは、Ｃ１，Ｃ２，Ｃ３，Ｃ４となる。それに対応する状態ベクトルは、整流器の何れも故障フラグを付与されていないので、構成要素０，０，０，０を有する。しかし、整流器の中の一つが故障フラグを付与されて、それに対応する状態ベクトルの構成要素が「１」に設定されている場合、当該の整流器は、このシーケンスから除外される。例えば、指数３を有する整流器が故障しているか、或いは動作から除外されている場合、状態ベクトルは、０，０，１，０となり、その結果得られる整流器のシーケンスは、図６の上部から底部までの順番の中の四番目に図示されているＣ１，Ｃ２，Ｃ４となる。
【００７１】
図６は、シーケンスから一つの整流器を除外する手法だけを図示している。それは、整流器のシーケンスを規定する最も好ましい手法を図示していない。
【００７２】
図７〜９は、整流器のシーケンスを規定する最も好ましい手法の例を図示している。この例では、１０個の整流器が扱われているが、それ以外の２よりも多い整流器のシーケンスも同様に決定できる。先ずは、図７ａに図示されている通り、整流器の角度差が決定される。単位長の二次元座標系の原点からの位相ベクトルを動作中の各整流器に対応付ける。そのため、Ｎ個の整流器が動作中である場合、Ｎ個の位相ベクトルが有る。図７ａ〜７ｆ、図８及び図９は、１０個の整流器の例を示す。これらの位相ベクトルは、隣接するベクトルの各ペアの位相ベクトルの間の角度差が等しくなるように、（１単位の半径長を有する円の中心として看做すことができる）原点の周りの回転位置に動かされている。ここで、位相ベクトルを整流器に対応付ける。
【００７３】
図７ｂに図示されている通り、電気シーケンスの第一の整流器の位相ベクトル、即ち、位相ベクトルＣ１が最初に選択され、そのため、角度０°が、その整流器に割り振られている。しかし、このシーケンスは、シーケンス内の最初の整流器がシーケンス内の最後の整流器に続くことを意味する反復シーケンスなので、このシーケンスは、それ以外の整流器から開始することができる。
【００７４】
そして、電気シーケンス内の次に続く整流器は、電気シーケンス内の前の整流器の位相ベクトルに対して最も大きい角度差を有する位相ベクトルに割り振られる。
【００７５】
そして、図７ｃに図示されている通り、電気シーケンス内の前の二つの整流器に対して最も大きい角度差を取り得る電気シーケンス内の次の整流器に、位相ベクトルが割り振られる。そして、この位相ベクトルは、前の位相ベクトルに対して最も大きい角度差を有する電気シーケンス内の次の整流器に割り振られる。この手順は、全ての位相ベクトルが整流器の中の一つに割り振られるまで、図７ｄ、図７ｅ及び図７ｆに図示されている通り繰り返される。
【００７６】
より一般的に述べると、これらの位相ベクトルは、電気シーケンス内の二つ又は三つの連続する整流器が交互に原点（円の中心）に関して出来る限り対称となる位相ベクトルに対応するように割り振られる。
【００７７】
図７ｆの右手側に図示された、Ｃ１．．．ＣＮにより表示された電気シーケンス内の整流器の位相ベクトルへの対応付けは、図８にも図示されており、この右手側の欄は、位相ベクトルの角度の連続する指数を有する。言い換えると、第三の欄の指数は、連続して増加する角度値の順番を表す。
【００７８】
そして、この連続する順番を用いて、図９に図示されている通り、整流器のシーケンスを決定することができる。左から右に、図８の右手側の欄に対応する順番で整流器が列挙されている。この方法の結果、電気シーケンス内の連続する整流器の各ペアの間において論理シーケンス内で起こり得る最も大きい差が得られる。この利点は、当該の個々の整流器の交流接続部の間の交流電圧の波形が最適化される、即ち、この最適化された波形が最小の歪みを有することである。そのため、ＣＭＣの絶縁体の長期安定性が向上する。更に、当該の整流器とアース電位の間の寄生キャパシタンスにより生じる電流が最小化される。
【００７９】
本発明の別の特徴は、前述した通り、故障した整流器を動作から除外して、低減した数の整流器を用いて切換状態の制御を実施できることである。前述した通り、故障した整流器は、その整流器の二つの交流接続部の間の電気接続によって迂回することができる。その迂回接続を構築するために、それに対応するスイッチ又はスイッチ構成が使用される。好ましくは、このスイッチ又はスイッチ構成は、スイッチ又はスイッチ構成の手動による動作が不要となるように、変換器制御部により自動的に制御することができる。理想的には、ＣＭＣの動作は、その整流器が動作から除外されている間継続する。しかし、実際には、短時間の中断が起こり得る。
【００８０】
Ｈ形ブリッジ変換器では、この制御装置が、二つの発射信号を発生させる必要が有る。前述した通り、これらの発射信号は、各ブリッジ内、即ち、二つのスイッチの各直列接続部内の一つの制御可能なスイッチの切換状態を制御する。当該のブリッジの別のスイッチの切換状態は、第一のスイッチの切換状態から導き出すことができる。特に、第二のスイッチは、第一のスイッチがオンに切り換えられている間、オンに切り換えてはならない。これらの発射信号は、従来技術により周知の如何なる形式の信号とすることができる。特に、この発射信号は、切換プロセスの起動時の信号レベルが階段状に変化する起動信号とすることができる。勿論、当該のスイッチの切換状態を制御する制御信号は、時間に依存する信号であるか、或いはマルチレベルパルス幅変調信号が必要とする通りスイッチをオン及びオフに切り換えるために繰り返される。
【００８１】
異なる整流器の均等な使用が主要な目的であることを前述した。特に、均等な使用とは、定常状態の動作中に異なる整流器が同じ量の電力を伝達することを意味する。
【００８２】
整流器の少なくとも一つの予め決められたシーケンスに応じて整流器を切り換える本発明の方法も、同時に転流可能な整流器の数が制限されるので、ＣＭＣの交流側の電圧の時間微分が制限されるとの利点を有する。
【００８３】
前述した通り、このマルチレベルパルス幅変調信号がレベルシフトＰＷＭにより生成される。基本的に、このマルチレベルＰＷＭ信号は、異なるプロセスにより生成することができる。
【００８４】
図１０は、単一の整流器に関して取り得る連続切換プロセスのフローチャートを図示している。図１０の右手側には、整流器の三つの異なる切換状態が「＋Ｖ」、「０」及び「−Ｖ」により表示されている。これらの切換状態は、図３に列挙された状態に対応する。交流側にゼロ電圧を発生させる切換状態「０」は、二つのサブ状態を有するので、これらのサブ状態は、「＋」符号又は「−」符号によって互いに区別されている。
【００８５】
このフローチャートでは、矢印が異なる切換状態を接続して、当該の切換状態からそれ以外の取り得る切換状態への遷移を表している。このフローチャートでは、各切換状態が、前の切換状態の履歴を考慮するために二回出現している。このようにして、前述した交流電源ユニットの動作が実現されている。例えば、整流器がフローチャートの上部右隅の切換状態「０−」に有る場合、その時の切換状態「０−」の左下を指し示す矢印により状態「−Ｖ」に遷移することができる。次に、ゼロ電圧を切り換える場合、フローチャートの底部右隅の切換状態「０＋」への遷移が唯一の可能性である。この図では、「Ｃｉ」が切換状態を表し、「ｉ」は、図３の通り、０、１又は２と等しい切換状態の指数である。切換状態が変化する毎に、それに対応する遷移がフローチャートに存在する。好ましくは、Ｃ０からＣ２への直接的な遷移（「−Ｖ」から「＋Ｖ」への遷移）とその逆の直接的な遷移は、図１０では完成するために図示されているが、許されない。
【図１】
0005938108.tif 000006
【図２】
0005938108.tif 000007
【図３】
0005938108.tif 000008
【図４】
0005938108.tif 000009
【図５】
0005938108.tif 000010
【図６】
0005938108.tif 000011
【図７ａ】
0005938108.tif 000012
【図７ｂ】
0005938108.tif 000013
【図７ｃ】
0005938108.tif 000014
【図７ｄ】
0005938108.tif 000015
【図７ｅ】
0005938108.tif 000016
【図７ｆ】
0005938108.tif 000017
【図８】
0005938108.tif 000018
【図９】
0005938108.tif 000019
【図１０】
0005938108.tif 000020